(57)【要約】  本発明は、（ｉ）樹脂と、（ｉｉ）Ａｕ、Ａｇ、Ｐｔ、およびＲｈの中から選択される金属と、（ｉｉｉ）グラフェンと、（ｉｖ）生きているまたは死んでいる人、動物、または植物からの生物学的材料のサンプルと、を含む組成物に関する。さらに、本発明は、形見またはロケットが属する感情的物体を製造するための上記組成物の使用に関する。本発明に係る組成物は、（ｉ）上記組成物を含む物体と、（ｉｉ）当該物体を獲得することを欲するユーザとの間における感情的な繋がりを形成するという目的を有する。上記組成物は、当該組成物のデジタル的な使用のために、導電性の特性を有する。【特許請求の範囲】
【請求項１】
（ａ）金属粉であって、Ａｕ、Ａｇ、Ｐｔ、およびＲｈの内から選択される当該金属粉と、
（ｂ）グラフェンと、
（ｃ）シリカと、
（ｄ）樹脂と、
（ｅ）対象の生物学的サンプルであって、乾燥している当該生物学的サンプルと、
を含んでいる、凍結乾燥された組成物。
【請求項２】
上記対象は、生きている対象である、請求項１に記載の組成物。
【請求項３】
上記対象は、死亡した対象である、請求項１に記載の組成物。
【請求項４】
上記樹脂は、エポキシ樹脂、感光性樹脂、およびそれらの組み合わせを含むリストから選択される、請求項１から３のいずれか１項に記載の組成物。
【請求項５】
上記金属粉は、Ａｕである、請求項１から４のいずれか１項に記載の組成物。
【請求項６】
上記樹脂は、エポキシ樹脂である、請求項１から５のいずれか１項に記載の組成物。
【請求項７】
上記生物学的サンプルは、微粉化毛髪、微粉化組織、微粉化角膜、微粉化角膜に由来する組織、微粉化爪、微粉化歯、シリカと共に凍結乾燥されたＤＮＡ、非凍結乾燥ＤＮＡ、植物組織、およびそれらの組み合わせを含むリストから選択される、請求項１から６のいずれか１項に記載の組成物。
【請求項８】
上記生物学的サンプルは、微粉化毛髪である、請求項１から７のいずれか１項に記載の組成物。
【請求項９】
上記生物学的サンプルは、シリカと共に凍結乾燥されたＤＮＡである、請求項１から７のいずれか１項に記載の組成物。
【請求項１０】
上記生物学的サンプルは、非凍結乾燥ＤＮＡである、請求項１から７のいずれか１項に記載の組成物。
【請求項１１】
上記樹脂、上記シリコン、および上記生物学的サンプルの体積の合計は、最終組成物の体積に対して１／３の割合である、請求項１から１０のいずれか１項に記載の組成物。
【請求項１２】
上記金属粉は、最終組成物の体積に対して１／３の割合である、請求項１から１１のいずれか１項に記載の組成物。
【請求項１３】
上記グラフェンは、最終組成物の体積に対して１／３の割合である、請求項１から１２のいずれか１項に記載の組成物。
【請求項１４】
上記死亡した対象は、ヒトまたは動物である、請求項１または請求項３から１３のいずれか１項に記載の組成物。
【請求項１５】
上記組成物は、エナメル質の外層を含む、請求項１から１４のいずれか１項に記載の組成物。
【請求項１６】
上記エナメル質の層が、エポキシ樹脂、感光性樹脂、またはそれらの任意の組み合わせの内から選択された樹脂である、請求項１５に記載の組成物。
【請求項１７】
請求項１から１６のいずれか１項に記載の組成物を含んでいる、部材または像。
【請求項１８】
請求項１５または１６に記載の組成物を含んでおり、かつ、サポート上に取り付けられている、部材または像。
【請求項１９】
上記部材または上記像は、３次元的である、請求項１７または１８に記載の部材または像。
【請求項２０】
ロケットを製造するための、請求項１から１６のいずれか１項に記載の組成物の使用。
【請求項２１】
３次元の部材または像を得るための３Ｄプリンタ用のインクとしての、請求項１から１４のいずれか１項に記載の組成物の使用。
【請求項２２】
上記３次元の部材または像は、ロケットである、請求項２１に記載の使用。
【請求項２３】
既にエナメル加工された３次元の部材もしくは像、またはセラミックの像が、対応するサポート上に取り付けられる、請求項１９または２１に記載の使用。
【発明の詳細な説明】
【発明の詳細な説明】
【０００１】
本発明は、（ｉ）樹脂と、（ｉｉ）Ａｕ、Ａｇ、Ｐｔ、およびＲｈの中から選択される金属と、（ｉｉｉ）グラフェン（graphene）と、（ｉｖ）生きているまたは死んでいる（生死を問わない）（alive or dead）人、動物、または植物からの生物学的材料のサンプルと、を含む組成物に関する。さらに、本発明は、形見またはロケットが属する感情的物体（emotional object）を製造するための上記組成物の使用に関する。
【０００２】
本発明に係る組成物は、（ｉ）上記組成物を含む物体と、（ｉｉ）当該物体を得ることを欲するユーザとの間に、感情的な繋がり（emotional link）を生じさせるという目的を有する。また、上記組成物は、当該組成物のデジタル的な使用のために、導電性の特性を有する。
【０００３】
［本発明の背景］
現在、生物への敬意と思い出とに関する様々な製品が存在している。当該生物は、人であってもペットであってもよく、特にそれらが死亡した場合に関連する。上記製品は、伝統的には、記憶されるべき最愛の者（loved one）に属する毛髪、歯、および他の部分または組織によって製作されている。
【０００４】
しかしながら、これまでのところ、種々の形態または表現様式（presentations）において、愛する者の「エッセンス（本質）」に基づく組成物は開発されていない。
【０００５】
［本発明の説明］
本発明は、（ｉ）樹脂と、（ｉｉ）Ａｕ、Ａｇ、Ｐｔ、およびＲｈの中から選択される金属と、（ｉｉｉ）グラフェンと、（ｉｖ）生きているまたは死亡した対象の生物学的サンプルであって、乾燥している当該生物学的サンプルと、を含んでいることによって特徴づけられる組成物を提供する。上記組成物は、感情的物体またはロケットを製造するという目的を有する。
【０００６】
従来技術に記載された他のものと比較して、本発明に係る感情的組成物の使用によって得られる利点は、（ｉ）パーソナライゼーション（人格化）の可能性と、（ｉｉ）組成物および当該組成物を用いて形成された物体の両方の均一な外観と、である。別の利点は、生きているまたは死亡した対象の生物学的物質を保存できることである。このことは、（ｉ）上記対象と、（ｉｉ）上記凍結乾燥された感情的組成物を着用または所有する人との間に、感情的な繋がりを形成する。さらに、上記組成物は、導電性を有する。このことは、当該組成物のデジタル要素としての使用を可能とする。
【０００７】
従って、本発明の第１の態様は、
（ａ）金属粉であって、Ａｕ、Ａｇ、Ｐｔ、およびＲｈの中から選択される当該金属粉と、
（ｂ）グラフェンと、
（ｃ）シリカと、
（ｄ）樹脂と、
（ｅ）対象の生物学的サンプルであって、乾燥している当該生物学的サンプルと、
を含んでいることによって特徴づけられる凍結乾燥された感情的組成物に関する。
【０００８】
好ましい実施形態では、上記対象は生きている対象である。
【０００９】
好ましい実施形態では、上記対象は死亡した対象である。
【００１０】
好ましい実施形態では、上記凍結乾燥された感情的組成物は、上記樹脂が０．００２ミリメートル未満の粒径を有し、上記生物学的サンプルは０．０２ｍｍ未満の粒径を有することによって特徴づけられる。この好ましい実施形態は、３Ｄプリンタインクとしての当該組成物の使用に最適な粒径を有する適切な組成物を得るために適している。これは、上記凍結乾燥された感情的組成物の上記粒径により、当該組成物が、４バールの圧力での３Ｄプリンタの加圧チャンバからの当該組成物の押出（押出成型）に対して最適化されるからである。
【００１１】
別の好ましい実施形態では、上記凍結乾燥された感情的組成物は、上記樹脂がエポキシ樹脂、感光性樹脂、およびそれらの組み合わせを含むリストから選択されることによって特徴づけられる。
【００１２】
より好ましい実施形態では、上記凍結乾燥された感情的組成物は、上記樹脂がエポキシ樹脂であることによって特徴づけられる。
【００１３】
別の好ましい実施形態では、上記凍結乾燥された感情的組成物は、上記生物学的サンプルが微粉化毛髪、微粉化組織、微粉化角膜、微粉化角膜に由来する組織、微粉化爪、微粉化歯、シリカと共に凍結乾燥されたＤＮＡ、非凍結乾燥ＤＮＡ、植物組織、およびそれらの組み合わせを含むリストから選択されることによって特徴づけられる。
【００１４】
より好ましい実施形態では、上記凍結乾燥された感情的組成物は、上記生物学的サンプルが微粉化毛髪であることによって特徴づけられる。
【００１５】
より好ましい実施形態において、上記凍結乾燥された感情的組成物は、上記生物学的サンプルがシリカと共に凍結乾燥されたＤＮＡであることによって特徴づけられる。
【００１６】
別のより好ましい実施形態では、上記凍結乾燥された感情的組成物は、上記生物学的サンプルが非凍結乾燥ＤＮＡであることによって特徴づけられる。
【００１７】
別の好ましい実施形態では、上記凍結乾燥された感情的組成物は、上記樹脂、上記シリコン、および上記生物学的サンプルの体積の合計が、上記最終組成物の体積に対して１／３の割合であることによって特徴づけられる。
【００１８】
別の好ましい実施形態では、上記凍結乾燥された組成物は、上記金属粉が、上記最終組成物の体積に対して１／３の割合であることによって特徴づけられる。
【００１９】
別の好ましい実施形態では、上記凍結乾燥された感情的組成物は、上記金属粉がＡｕであり、より好ましくは上記Ａｕ粉末の体積が上記最終組成物の全体積に対して１／３であることによって特徴づけられる。
【００２０】
別の好ましい実施形態では、上記凍結乾燥された感情的組成物は、上記グラフェンの体積が、上記最終組成物の全体積に対して１／３の割合であることによって特徴づけられる。
【００２１】
別の実施形態では、上記凍結乾燥された感情的組成物は、上記対象がヒトまたは動物であることによって特徴づけられる。
【００２２】
別のより好ましい実施形態では、上記感情的組成物は、固体状であり、エナメル質の外層（ｃ）も、さらに含んでいる。上記エナメル質の外層は、上記組成物が（ｉ）セラミックの像または部材、あるいは（ｉｉ）３Ｄプリントによって得られる３次元の像または部材として用いられるケースに対して適している。上記エナメルは、焼成プロセスにおいて生じたポア（孔隙）を、当該エナメルによって塞ぐために添加される。これにより、（ｉ）最終的なセラミックの部材もしくは像、または、（ｉｉ）３Ｄプリントによって得られる３次元の像もしくは部材に対し、均一性および剛性を与えることができる。上記エナメルは、８００℃から９００℃までの温度で行われる従来の加熱炉内での上記感情的組成物の焼成後に添加される。また、上記エナメルは、１０００℃から１０６０℃まで間の温度で行われる従来の加熱炉内での第２の焼成の前に添加される。
【００２３】
上記生成物のさらに好ましい実施形態では、上記エナメル質の層は、エポキシ樹脂、感光性樹脂、またはそれらの任意の組み合わせの内から選択された樹脂である。
【００２４】
本発明の別の態様は、本発明において記載される組成物を含む部材または像に関する。
【００２５】
本発明の別の態様は、エナメルの外層を備える組成物を含む部材または像に関する。当該外層は、好ましくは以下のリスト、すなわち、エポキシ樹脂、感光性樹脂、またはそれらの任意の組み合わせの内から選択される。また、上記部材または像は、サポート上に取り付けられている。
【００２６】
本発明の好ましい実施形態は、上記部材または像が３次元的であることである。
【００２７】
本発明の別の態様は、上述された上記組成物の、３次元の部材または像を得るための３Ｄプリンタ用のインクとしての使用に関する。好ましくは、上記３次元の部材または像は、ロケットである。
【００２８】
本発明の別の態様は、ロケットを製造するための上述の組成物の使用である。
【００２９】
より好ましい実施形態は、既にエナメル加工された上記３次元の部材もしくは像、またはセラミックの像が、対応するサポート上に取り付けられる、当該３次元の部材もしくは像、またはセラミックの像の使用である。
【００３０】
本発明において、「凍結乾燥された感情的組成物」（lyophilized emotional composition）とは、生きているまたは死んでいる（死亡した）対象から分離された生物学的サンプルを含む全ての組成物であり、好ましくは−９０℃から−４０℃までの温度で凍結乾燥された当該組成物として理解される。
【００３１】
本発明において、「生物学的サンプル」（biological sample）とは、任意のヒト、または動物、あるいは植物材料の構成要素（members）、構成要素の一部分、組織、毛髪、爪、歯、ＤＮＡまたは凍結乾燥ＤＮＡから得られる、湿潤生体材料または乾燥生体材料の全てのサンプルとして理解される。ここで、ヒト、動物、または植物は、生存していてもよいし死亡していてもよい。上記生物学的サンプルは、乾燥しており、マイクロメートルサイズになるまで粉砕される。この微粉化は、クライオジェニックグラインダ（極低温粉砕機）によって行われてよい。試料の有機特性を考慮すると、このプロセスは、本発明の組成物の基材（ベース）と、好適な品質および外観特性を有する最終組成物と、を得るために、経済的（手ごろ）かつ有益な方法であるため、有利である。
【００３２】
本発明において、「シリカと共に凍結乾燥されたＤＮＡ」（DNA lyophilized with silica）とは、全ての生物学的サンプルとして理解される。当該ＤＮＡは、当業者に公知の技術によって抽出され、その後、シリカ中で凍結乾燥プロセスを受ける。上記凍結乾燥プロセスは、サンプルを、（ｉ）急速冷却と、（ｉｉ）水分が直ちに蒸発し、上記サンプルを乾燥させることができる真空と、に供することによって成り立つ。上記プロセスを設けることで、我々は、長期間にわたって、上記サンプルを、その官能状態（organoleptic conditions）と共に維持することができる。同時に、我々は、上記物質を形成する別々の粒子における結合を生じさせる。上記結合は、静電気的な、いわゆるファンデルワールス力と、原子、分子、および表面間における引力を含む結合と、である。これらの結合は、隣接する粒子の分極変動（fluctuating polarizations）における相互関係によって生じる（量子力学に起因する）、共有結合およびイオン結合とは異なる。
【００３３】
最終組成物は、−９０℃から−７０℃までの温度で凍結される。また、当該最終組成物は、「クライオドス」（Cryodos）装置（実験室の凍結乾燥機）内に導入される。「クライオドス」装置では、当該最終組成物は、５〜６時間に亘り、−９０℃未満から−４０℃までの温度での真空プロセスに供される。上記プロセスによって、我々は、上記組成物を形成する全ての粒子を静電気的に結合させる。
【００３４】
明細書および特許請求の範囲の全体にわたって、「含む」（comprises）という文言およびその変形語は、他の技術的構成、付加物（添加物）（additives）、コンポーネント（成分）、またはステップを排除することを意図していない。当業者であれば、本発明の他の目的、利点、および構成は、部分的には説明から、また部分的には本発明の実施から生じるであろう。以下の例（実施例）は、例示の目的で提供されており、本発明の範囲を限定することを意図するものではない。
【００３５】
［本発明の好ましい実施形態］
本発明の目的に関する好ましい実施形態の例について、詳細な説明が以下に提示される。
【００３６】
＜樹脂、シリカ、金粉、グラフェン、および生物学的サンプルを基礎とする像の調製＞
生物学的サンプルは、シリカ中で凍結乾燥されたＤＮＡである。当該ＤＮＡは、ヘルスケア以外の目的のために非機能性ＤＮＡ物質を使用すること、または本実用新案に係る凍結乾燥された感情的組成物を用いて遺伝物質を保存することを損なうことなく、必要であれば機能性ＤＮＡを回復し得る材料を得ることを目的として記載された以前のプロセスによってもたらされる。
【００３７】
遺伝物質の変形に関して、我々が実現したいことは、ＤＮＡを保存すること、および物質を見えるようにすることである。これは、裸眼でＤＮＡを見ることは不可能であるため、当該ＤＮＡを検出するためには、当該ＤＮＡを一連の分子的プロセスに供することが必要であるためである。我々が実施することは、特にアルギニンまたはグリシンといったアミノ酸バッファを用いて、シリカ、グラフェン、および金粉の微粒子と共に、２つのステージでＤＮＡを数時間の間処理することである。また、当該ステージの初めに、撹拌を行うことでＤＮＡを処理する。これらのアミノ酸は、シリカのＤＮＡへの結合を補助する。我々は、過剰なシリカ粒子または遠心分離されたＤＮＡを除去し、同様のアミノ酸バッファを用いて洗浄する。その結果の産物（生成物）は、シリカに結合したＤＮＡの液体サンプルであり、裸眼では白濁した液体が見える。この時点で、第２のステージが始まる。第２のステージは、上記液体をグラフェンおよび金粉の微粒子と混合し、金の色合いを有する灰色がかった物質を生成することによって成る。ここで、グラフェンおよび金は、最終的な物質に構造的一貫性および導電性を与える機能を有する。
【００３８】
上記ＤＮＡのシリカに対する結合プロセスにおいて我々が実現したいことは、ＤＮＡを保存すること、および物質を見えるようにすることである。これは、裸眼でＤＮＡを見ることは不可能であるため、当該ＤＮＡを検出するためには、当該ＤＮＡを一連の分子的プロセスに供することが必要であるためである。
【００３９】
行うべき最初の事項は、１５０μｌのアルギニンまたはグリシンといったアミノ酸バッファ中で、少なくとも１００ｎｇのＤＮＡを２ｍｇのシリカ微粒子と共に処理することである。上記アミノ酸バッファは、Ｔｒｉｓ−ＥＤＴＡ溶液中で１００ｍＭの濃度であり、ｐＨ５に調整される必要がある。我々は、「サーモ−シェイカー  ＴＳ−１００」（Thermo-shaker TS-100）内において、大気温度（ambient temperature）で２時間に亘り、１０Ｈｚで上記混合物を撹拌する。当該プロセスにおいて、上記バッファのアミノ酸は、シリカのＤＮＡへの結合を補助する。２時間後、我々は、アミノ酸バッファ中に沈殿した、シリカを含むＤＮＡサンプルを遠心分離機にかけ、シリカの粒子に結合したＤＮＡを分離する。
【００４０】
グラフェンは、最終的な体積に対して１／３の割合で、上記液体に添加される。金粉は、最終的な体積に対して１／３の割合で、上記液体に添加される。そして、最終的な体積に対して、ＤＮＡおよびシリコンとあわせて１／３の割合となるまで、樹脂が添加される。最終的な物質は、我々が凍結乾燥プロセスに供する液体である。
【００４１】
シリカ中に沈殿したＤＮＡは、予めおよそ−８０℃で凍結される。また、我々は、当該ＤＮＡを「クライオドス」（Cryodos）装置（実験室の凍結乾燥機）内に導入する。ここで、我々は、当該ＤＮＡを、５．５時間の間−８０℃での真空プロセスに供する。上記プロセスによって、我々は、凍結乾燥された感情的組成物を形作る基材を形成する全ての粒子を静電気的に結合させる。
【００４２】
最終的なピースが対応するサポート上に取り付けられる。
【国際調査報告】
2021515089.tif 000002
2021515089.tif 000003